(57)【要約】【課題】片手でレバーを握り込むことによって被結束物の結束、結束した粘着テープの切断及び被結束物の排出を行うことができるようにすること。【解決手段】先端側が開閉可能な上部本体１０及び下部本体２０と、下部本体に枢着された操作レバー３０と、操作レバーの揺動に伴って被結束物を保持して基端側から先端側に移動可能な押出し部材４０と、を具備し、下部本体は、粘着テープのテープケース６０を保持するテープ保持部２３と、被結束物が収容可能な凹所を有して押出し部材の移動路２１に臨設される回転自在なテープ供給部材２４と、粘着テープの先端部をテープ供給部材に押圧するテープ先端押え部材２６と、テープ供給部材に粘着テープを押圧するテープ上部押え部材２７と、移動路に向かって突出する切断刃２８と、を具備し、上部本体は、テープ供給部材の粘着テープに被結束物を圧接すると共に凹所内に収容するテープ保持部材８０を具備する。【選択図】  図１
2014231380.tif 000002
【特許請求の範囲】
【請求項１】
基端側が枢着されて先端側が開閉可能な上部本体及び下部本体と、前記下部本体に一端が枢着されて基端側に延在する揺動可能な操作レバーと、先端部に被結束物の保持部を有して前記下部本体の基端側から先端側に前記被結束物を移動可能な押出し部材と、前記上部本体と操作レバーと押出し部材に連接されて前記操作レバーの揺動に伴って前記押出し部材を移動する移動機構と、を具備し、
前記下部本体は、リールに片面が粘着面の粘着テープを巻装したテープケースを保持するテープ保持部と、周方向に所定間隔の前記被結束物が収容可能な凹所を有して前記押出し部材の移動路に臨設されて前記テープケースから繰り出された粘着テープを供給する回転自在なテープ供給部材と、前記テープ供給部材の移動路先端側に弾接して前記粘着テープの先端部を前記テープ供給部材に押圧するテープ先端押え部材と、前記上部本体と下部本体の先端側が閉じた際に、前記テープ供給部材に前記粘着テープを押圧するテープ上部押え部材と、前記テープ先端押え部材と前記テープ供給部材との間に位置して前記移動路に向かって出没可能に突出する切断刃と、前記押出し部材を基端側から先端側に移動可能に支持する直状ガイド部と、を具備し、
前記上部本体は、前記テープ供給部材によって供給された前記粘着テープに、前記押出し部材によって移動する前記被結束物を弾性力の付勢によって圧接すると共に前記凹所内に収容するテープ保持部材を具備してなり、
前記操作レバーの操作によって前記移動路を移動する前記押出し部材に保持された被結束物に前記粘着テープを卷回して結束し、結束した粘着テープの先端側と後端側を前記切断刃で切断した後、被結束物を先端側外方に取り出し可能に形成してなる、ことを特徴とする簡易結束機。
【請求項２】
請求項１記載の簡易結束機において、
前記押出し部材の保持部の表面に滑り止め部材を貼着してなることを特徴とする簡易結束機。
【請求項３】
請求項１又は２に記載の簡易結束機において、
前記移動機構は、前記上部本体の基端部に一端が枢着された第１のリンクと、前記操作レバーの自由端部に一端が枢着された第２のリンクと、前記下部本体に設けられた直状ガイド部に摺動自在な軸ピンによって一端が枢着された第３のリンクを具備し、前記第１のリンクの他端側中間部と前記第２のリンクの他端部を第１の枢支ピンによって枢着し、前記第１のリンクの先端部と前記第３のリンクの先端部を第２の枢支ピンによって枢着してなる、ことを特徴とする簡易結束機。
【請求項４】
請求項１ないし３のいずれかに記載の簡易結束機において、
前記下部本体における前記テープ供給部材の下方側に、上下方向に揺動可能なベルクランク状の作動リンクを枢着し、該作動リンクの先端側端部に、前記テープ先端押え部材を前記テープ供給部材に対して接離方向に起倒可能に取り付け、前記作動リンクと前記下部本体との対向部位に、前記作動リンクの先端側を前記テープ供給部材側に弾性力を付勢するばね部材を介設し、前記下部本体の基端側に、上下方向に揺動可能なベルクランク状の駆動リンクを枢着し、該駆動リンクの一端部と前記作動リンクの基端側端部とを枢支ピンによって枢着し、該駆動リンクの基端側端部を前記上部本体の下面に垂設された係合突起と係合可能に形成してなる、ことを特徴とする簡易結束機。
【請求項５】
請求項１ないし４のいずれかに記載の簡易結束機において、
前記下部本体の先端側に一端が枢着された揺動アームの他端部に前記切断刃の保持部を取り付けると共に、該保持部の側方に突設されたガイドピンを前記下部本体の側壁に設けられた円弧状ガイド溝に摺動自在に嵌挿し、かつ、前記ガイドピンを前記押出し部材と一体の側板に設けられた基端側に向かって上り勾配の傾斜面と該傾斜面の上端に連なる水平面とを有するガイド溝に係合可能に形成してなる、ことを特徴とする簡易結束機。
【請求項６】
請求項１ないし５のいずれかに記載の簡易結束機において、
前記押出し部材に該押出し部材の移動方向に延在するラックを設け、前記下部本体に前記ラックと噛合する駆動ギアを設けると共に、該駆動ギアと同軸上に伝達ギアを設け、該伝達ギアと前記テープ供給部材の回転軸に装着された従動ギアを噛合してなる、ことを特徴とする簡易結束機。
【請求項７】
請求項１ないし６のいずれかに記載の簡易結束機において、
前記テープ供給部材の回転軸に装着されるテープ供給部材の回転方向と逆方向に突出する爪部を有する爪車と、該爪車の爪部に弾性力の付勢により係脱可能に係合する係止部材とを有する逆転防止機構を具備してなる、ことを特徴とする簡易結束機。
【請求項８】
請求項１ないし７のいずれかに記載の簡易結束機において、
前記上部本体の先端部に、被結束物を結束した前記粘着テープの上面に接触する回転自在なテープガイドを具備してなる、ことを特徴とする簡易結束機。
【請求項９】
請求項１ないし８のいずれかに記載の簡易結束機において、
前記上部本体の基端側上面に環状の上部指掛け部を設け、前記操作レバーの下面に先端側に向かって凹状円弧状の下部指掛け部を設けてなる、ことを特徴とする簡易結束機。
【請求項１０】
請求項１ないし９のいずれかに記載の簡易結束機において、
前記下部本体における前記移動路の基端側に、該移動路に対して直交状に着脱可能に突設される被結束物の載置板と、被結束物の端部が当接可能な当接壁部を有する位置決め部材とを具備し、前記載置板には長手方向に所定間隔をおいて互いに平行な目盛りが刻設され、前記位置決め部材は前記載置板に摺動可能に装着されると共に、前記目盛りに合わせて係止可能に形成される、ことを特徴とする簡易結束機。
【請求項１１】
請求項１に記載の簡易結束機において、
前記テープ保持部は、前記下部本体の側壁部の下部に開口して設けられ、前記テープケースの外側面に突設された凸部が摺動及び嵌挿可能な保持溝と、前記下部本体の側壁部に前記保持溝側に対して進退可能に取り付けられ、前記テープケースの外側面に突設された係止突起に係脱可能に係止する保持部材と、を具備することを特徴とする簡易結束機。
【請求項１２】
請求項１又は１１に記載の簡易結束機において、
前記テープケースは、粘着テープを巻装する前記リールを回転自在に収容するテープ収容部と、該テープ収容部の一側に連なり外部に開口するテープ取り出し部とを有するケース本体と、前記テープ取り出し部に回転自在に枢支されて前記リールから繰り出された粘着テープの先端部を前記開口側へ誘導するガイドローラと、該ガイドローラを介在して前記テープ収容部とテープ取り出し部を塞ぐ蓋体と、前記テープ取り出し部の外側面に、粘着テープの繰り出し方向に摺動自在に装着され、先端部に粘着テープの取り出し口を有するテープガイド部材と、を具備してなり、前記テープケースが前記下部本体の前記テープ保持部に保持された際に、前記テープガイド部材が下方に摺動して粘着テープの先端部を前記テープ供給部材側に露出する、ことを特徴とする簡易結束機。
【発明の詳細な説明】
【技術分野】
【０００１】
この発明は簡易結束機に関するもので、更に詳細には、例えばプラスチック製袋体の袋口や複数の棒状製品等の被結束物の粘着テープによる結束や、例えば電気・電子機器の配線コード等の被結束物のマーキング用粘着テープによる結束に加え、農業・園芸用の結束機としても利用できる簡易結束機に関するものである。
【背景技術】
【０００２】
従来、例えばプラスチック製袋体の袋口や複数の棒状製品等の被結束物を粘着テープで結束する結束機として、支持板に設けられた被結束物の挿通路と、テープ巻付体から引き出した粘着テープを挿通路に案内する引き出し通路と、挿通路を移動する被結束物に放射状の係合突起が当接して回転される回転係合部材と、係合突起先端が当接摺動して粘着テープが貼着係止される止着部材と、止着部材を係合突起先端に向けて付勢する圧接用付勢手段と、挿通路内を移動する被結束物に押し回されてカッター刃が止着部材直下の挿通路内で粘着テープを切断するテープ切断レバーと、とを備える卓上タイプの結束機が知られている（例えば、特許文献１参照）。
【０００３】
また、フレームに取り付けられた係合軸に遊嵌状態に係合されて係合軸の回りに振れ回り自在なリング駒の外周面に巻き掛けて粘着テープを案内し、リング駒によって案内された粘着テープの先端側部分をリング駒の外周面に対して径方向に接離可能なテープ係止機構に引き渡して係止し、被結束物をリング駒の外周面に略接する経路に沿って移動し、被結束物の移動によってテープ係止機構から引き戻された粘着テープの先端側部分とリング駒から繰り出される粘着テープの後端側部分とを被結束物に巻き付け、被結束物に巻き付けた粘着テープの先端側部分と後端側部分との端部同士を互いに係合させた後、リング駒から繰り出された粘着テープを切断刃で切断する結束装置が知られている（例えば、特許文献２参照）。 
【０００４】
また、一端に粘着テープの切断部を保持する保持部材とテープ装着部とを有し、他端に回動基部を形成した握り部と、一端に袋口の受け部を備え、他端を握り部の回動基部に軸着した押えアームと、一端に押えアームの受け部と対向する受け部を備え、他端を握り部の回動基部に軸着して、握り部と押えアームとの間に設けた中間アームとからなり、握り部にはテープ装着部に圧着ローラを軸着し、該圧着ローラ側にばね付勢されると共に中間アームに設けた受け部の移動方向と交叉する方向に移動する可動型の圧着部材をテープ装着部の圧着ローラ配置位置に対向する位置に配置し、保持部材には切断刃を立設し、押えアーム及び中間アームにより袋口を挟持し、テープ卷回に必要な回動動作を片手で握持するだけで行えるようにしたハンディタイプの結束機が知られている（例えば、特許文献３参照）。この特許文献３に記載のものは、袋口にテープを卷回（結束）した後、押えアームと中間アームを逆方向へ回動して挟持を解除して、結束された袋口を切断刃の保持部材側に移動して結束した粘着テープの先端部と後端部を切断刃で切断している。
【０００５】
また、メインハンドルの中間にクリンチャアームの基部を軸支し、クリンチャアームの中間部には操作リンクの中間部を回動自在に軸着し、この軸着部の一方を握り部とし、他方の先端に形成したフック部をメインハンドルに設けた係合部に係合させ、握り部とメインハンドルとを握り締め、解放してクリンチャアームを開閉操作することによりクリンチャアームの先端のヘッド部とメインハンドルの前端のヘッド受け部とを当接、離間可能とし、開放時にヘッド受け部とヘッド部との間に張られた結束テープ内に外から被結束物を入れ込んだ後、クリンチャアームを閉じ、さらにヘッド受け部からステープルを打ち出してヘッド部で折り曲げて結束テープを綴じることにより被結束物を結束する園芸用結束機が知られている（例えば、特許文献４参照）。
【先行技術文献】
【特許文献】
【０００６】
【特許文献１】特開２００５−１５１１２号公報（特許請求の範囲、図１〜図４）
【特許文献２】特開２００１−３０１７１６号公報（特許請求の範囲、図１〜図５）
【特許文献３】実公昭６１−２２８０８号公報（実用新案登録請求の範囲、第１図，第２図）
【特許文献４】特開２００７−５４０００号公報（図３〜図６）
【発明の概要】
【発明が解決しようとする課題】
【０００７】
しかしながら、特許文献１，２，３に記載のものは、いずれも結束機（装置）外にある被結束物を装置内に取り込みながら、結束動作と結束した粘着テープの先端側と後端側を切断して結束を完了させる構造である。そのため、結束後に結束機（装置）内から被結束物を手作業で引き抜く必要があり、片手で簡便に結束することができない問題があった。
【０００８】
また、例えば、電気機械産業の分野において、電気・電子機器等の配線コードの両端に異なる色のテープを巻き付ける（いわゆるマーキング）が行われている。通常、この種の装置の配線コードは多数に渡り手作業で行うのは大変であった。そこで、特許文献１，２，３に記載の結束機等の従来の結束機を用いて結束することが行われているが、特許文献１及び３の場合は、その構造上、巻きズレが生じうまく巻きつけることができず、特許文献２の場合は非常に大掛かりな装置のため、実用的ではなかった。また、特許文献４に記載の園芸用結束機においては、結束機構を担う部品にかかる負荷が大きいこと、また、ある程度装置の強度を持たせる必要があることから、装置全体として金属部品の占める割合が高くなり、装置全体の重量が重くなる傾向があった。また、従来の袋口結束機でぶどうの蔓等と支柱を結束すると、その後装置を引き抜くことができないという不都合が生じる場合がある。また、特許文献２のような従来の結束機では緩く結束する用途に向くが、蘭の栽培などしっかりとした結束を必要とする用途には向かないという問題がある。
【０００９】
また、現状において、片手で簡便に袋口や複数の棒状製品等の被結束物を結束できる結束機が望まれる一方、配線コードを装置から取り外すことなく簡便に結束できるハンディタイプの結束機が望まれているし、より軽量で、しっかりと結束することが可能な園芸用結束機も望まれていた。
【００１０】
この発明は上記事情に鑑みてなされたもので、被結束物を移動させずに、片手でレバーを握り込むことによって、被結束物の結束動作と結束した粘着テープの切断動作と結束された被結束物の排出動作を連続して行うことができる簡易結束機を提供する。
【課題を解決するための手段】
【００１１】
前記課題を達成するために、この発明の簡易結束機は、基端側が枢着されて先端側が開閉可能な上部本体及び下部本体と、前記下部本体に一端が枢着されて基端側に延在する揺動可能な操作レバーと、先端部に被結束物の保持部を有して前記下部本体の基端側から先端側に前記被結束物を移動可能な押出し部材と、前記上部本体と操作レバーと押出し部材に連接されて前記操作レバーの揺動に伴って前記押出し部材を移動する移動機構と、を具備し、  前記下部本体は、リールに片面が粘着面の粘着テープを巻装したテープケースを保持するテープ保持部と、周方向に所定間隔の前記被結束物が収容可能な凹所を有して前記押出し部材の移動路に臨設されて前記テープケースから繰り出された粘着テープを供給する回転自在なテープ供給部材と、前記テープ供給部材の移動路先端側に弾接して前記粘着テープの先端部を前記テープ供給部材に押圧するテープ先端押え部材と、前記上部本体と下部本体の先端側が閉じた際に、前記テープ供給部材に前記粘着テープを押圧するテープ上部押え部材と、前記テープ先端押え部材と前記テープ供給部材との間に位置して前記移動路に向かって出没可能に突出する切断刃と、前記押出し部材を基端側から先端側に移動可能に支持する直状ガイド部と、を具備し、  前記上部本体は、前記テープ供給部材によって供給された前記粘着テープに、前記押出し部材によって移動する前記被結束物を弾性力の付勢によって圧接すると共に前記凹所内に収容するテープ保持部材と、を具備してなり、  前記操作レバーの操作によって前記移動路を移動する前記押出し部材に保持された被結束物に前記粘着テープを卷回して結束し、結束した粘着テープの先端側と後端側を前記切断刃で切断した後、被結束物を先端側外方に取り出し可能に形成してなる、ことを特徴とする（請求項１）。この場合、前記押出し部材の保持部の表面に滑り止め部材を貼着するのが好ましい（請求項２）。
【００１２】
また、この発明において、前記移動機構は、前記上部本体の基端部に一端が枢着された第１のリンクと、前記操作レバーの自由端部に一端が枢着された第２のリンクと、前記下部本体に設けられた直状ガイド部に摺動自在な軸ピンによって一端が枢着された第３のリンクを具備し、前記第１のリンクの他端側中間部と前記第２のリンクの他端部を第１の枢支ピンによって枢着し、前記第１のリンクの先端部と前記第３のリンクの先端部を第２の枢支ピンによって枢着するのが好ましい（請求項３）。
【００１３】
このように構成することにより、上部本体と下部本体の先端部を開放した状態で、テープ保持部に保持されたテープケースから繰り出された粘着テープをテープ供給部材に掛け渡し、その先端部をテープ先端押え部材によってテープ供給部材に押圧した後、テープ上部押え部材によってテープ供給部材に粘着テープを押圧した状態で、操作レバーの操作によって移動路を移動する押出し部材に保持された被結束物に粘着テープを卷回して結束し、結束した粘着テープの先端側と後端側を切断刃で切断した後、被結束物を先端側外方に取り出すことができる。この場合、押出し部材の保持部の表面に滑り止め部材を貼着することによって、保持部に保持される被結束物の回転を抑制して粘着テープの卷回を確実にすることができる（請求項２）。
【００１４】
また、操作レバーの操作に伴って押出し部材を移動する移動機構を、上部本体の基端部に一端が枢着された第１のリンクと、操作レバーの自由端部に一端が枢着された第２のリンクと、下部本体に設けられた直状ガイド部に摺動自在な軸ピンによって一端が枢着された第３のリンクとで構成し、第１のリンクの他端側中間部と第２のリンクの他端部を第１の枢支ピンによって枢着し、第１のリンクの先端部と第３のリンクの先端部を第２の枢支ピンによって枢着することにより、操作レバーの操作によって押出し部材を容易にかつ確実に移動することができる（請求項３）。
【００１５】
請求項４に記載の発明は、請求項１ないし３のいずれかに記載の簡易結束機において、前記下部本体における前記テープ供給部材の下方側に、上下方向に揺動可能なベルクランク状の作動リンクを枢着し、該作動リンクの先端側端部に、前記テープ先端押え部材を前記テープ供給部材に対して接離方向に起倒可能に取り付け、前記作動リンクと前記下部本体との対向部位に、前記作動リンクの先端側を前記テープ供給部材側に弾性力を付勢するばね部材を介設し、前記下部本体の基端側に、上下方向に揺動可能なベルクランク状の駆動リンクを枢着し、該駆動リンクの一端部と前記作動リンクの基端側端部とを枢支ピンによって枢着し、該駆動リンクの基端側端部を前記上部本体の下面に垂設された係合突起と係合可能に形成してなることを特徴とする。
【００１６】
このように構成することにより、操作レバーの操作によって上部本体と下部本体の先端部が閉じると同時に、上部本体の下面に垂設された係合突起が駆動リンクの基端部側と係合して駆動リンクを揺動すなわち駆動リンクの先端部を上部本体側に移動し、駆動リンクの揺動（回動）により作動リンクの基端部が上方側（上部本体側）に移動すると共に、作動リンクの先端部が下方側（上部本体から離れる側）へ移動して、テープ先端押え部材をテープ供給部材から離間する方向へ移動して、テープ先端押え部材を移動路から退避することができる。
【００１７】
請求項５に記載の発明は、請求項１ないし４のいずれかに記載の簡易結束機において、前記下部本体の先端側に一端が枢着された揺動アームの他端部に前記切断刃の保持部を取り付けると共に、該保持部の側方に突設されたガイドピンを前記下部本体の側壁に設けられた円弧状ガイド溝に摺動自在に嵌挿し、かつ、前記ガイドピンを前記押出し部材と一体の側板に設けられた基端側に向かって上り勾配の傾斜面と該傾斜面の上端に連なる水平面とを有するガイド溝に係合可能に形成してなることを特徴とする。
【００１８】
このように構成することにより、押出し部材が先端側に移動する際に、押出し部材と一体の側板に設けられたガイド溝と、揺動アームの切断刃の保持部に突設されたガイドピンとが係合し、押出し部材の先端側への移動に伴ってガイドピンがガイド溝の傾斜面に沿って上昇すると共に切断刃が移動路に向かって移動して、被結束物を結束した粘着テープの先端部と後端部を切断することができる。
【００１９】
請求項６に記載の発明は、請求項１ないし５のいずれかに記載の簡易結束機において、  前記押出し部材に該押出し部材の移動方向に延在するラックを設け、前記下部本体に前記ラックと噛合する駆動ギアを設けると共に、該駆動ギアと同軸上に伝達ギアを設け、該伝達ギアと前記テープ供給部材の回転軸に装着された従動ギアを噛合してなる、ことを特徴とする。
【００２０】
このように構成することにより、押出し部材の移動に伴って押出し部材に設けられたラックと駆動ギアが噛合して駆動ギアが回動すると同時に、駆動ギアと同軸上の伝達ギアが回動し、伝達ギアと噛合するテープ供給部材の回転軸に装着された従動ギアが回動することで、テープ供給部材が先端側に回動して、凹所内に収容された粘着テープが付いた被結束物を移動し、粘着テープを確実にテープケースから繰り出すことができる。
【００２１】
請求項７に記載の発明は、請求項１ないし６のいずれかに記載の簡易結束機において、  前記テープ供給部材の回転軸に装着されるテープ供給部材の回転方向と逆方向に突出する爪部を有する爪車と、該爪車の爪部に弾性力の付勢により係脱可能に係合する係止部材とを有する逆転防止機構を具備してなる、ことを特徴とする。
【００２２】
このように構成することにより、テープ供給部材の逆回転を防止することができるので、テープ供給部材の正回転に伴う被結束物の結束動作に支障を来すのを防止することができる。
【００２３】
請求項８に記載の発明は、請求項１ないし７のいずれかに記載の簡易結束機において、  前記上部本体の先端部に、被結束物を結束した前記粘着テープの上面に接触する回転自在なテープガイドを具備してなる、ことを特徴とする。
【００２４】
このように構成することにより、被結束物を結束した粘着テープの上面にテープガイドが接触しつつ回転することで、被結束物を結束した粘着テープの結束部を確実にして結束された被結束物を結束機の外部に取り出すことができる。
【００２５】
請求項９に記載の発明は、請求項１ないし８のいずれかに記載の簡易結束機において、前記上部本体の基端側上面に環状の上部指掛け部を設け、前記操作レバーの下面に先端側に向かって凹状円弧状の下部指掛け部を設けてなる、ことを特徴とする。
【００２６】
このように構成することにより、上部本体の基端側上面に設けられた環状の上部指掛け部に親指を掛け、操作レバーの下面に先端側に向かって設けられた凹状円弧状の下部指掛け部に人差し指又は中指等を掛けることができるので、片手による握持を確実にすることができると共に、操作レバーの操作を容易にすることができる。
【００２７】
請求項１０に記載の発明は、請求項１ないし９のいずれかに記載の簡易結束機において、  前記下部本体における前記移動路の基端側に、該移動路に対して直交状に着脱可能に突設される被結束物の載置板と、被結束物の端部が当接可能な当接壁部を有する位置決め部材とを具備し、前記載置板には長手方向に所定間隔をおいて互いに平行な目盛りが刻設され、前記位置決め部材は前記載置板に摺動可能に装着されると共に、前記目盛りに合わせて係止可能に形成される、ことを特徴とする。
【００２８】
このように構成することにより、必要に応じて当接壁部を有する位置決め部材を摺動可能に装着した載置板を取り付け、複数の被結束物の先端を揃えることができると共に、先端からの所定の距離を結束することができる。
【００２９】
請求項１１に記載の発明は、請求項１に記載の簡易結束機において、前記テープ保持部は、前記下部本体の側壁部の下部に開口して設けられ、前記テープケースの外側面に突設された凸部が摺動及び嵌挿可能な保持溝と、前記下部本体の側壁部に前記保持溝側に対して進退可能に取り付けられ、前記テープケースの外側面に突設された係止突起に係脱可能に係止する保持部材と、を具備することを特徴とする。
【００３０】
このように構成することにより、テープケースをテープ保持部に着脱可能に取り付けることができる。
【００３１】
また、請求項１２に記載の発明は、請求項１又は１１に記載の簡易結束機において、前記テープケースは、粘着テープを巻装する前記リールを回転自在に収容するテープ収容部と、該テープ収容部の一側に連なり外部に開口するテープ取り出し部とを有するケース本体と、前記テープ取り出し部に回転自在に枢支されて前記リールから繰り出された粘着テープの先端部を前記開口側へ誘導するガイドローラと、該ガイドローラを介在して前記テープ収容部とテープ取り出し部を塞ぐ蓋体と、前記テープ取り出し部の外側面に、粘着テープの繰り出し方向に摺動自在に装着され、先端部に粘着テープの取り出し口を有するテープガイド部材と、を具備してなり、前記テープケースが前記下部本体の前記テープ保持部に保持された際に、前記テープガイド部材が下方に摺動して粘着テープの先端部を前記テープ供給部材側に露出する、ことを特徴とする。
【００３２】
このように構成することにより、テープ保持部に保持されたテープケースのテープガイド部材を下方に移動することで、リールに卷回された粘着テープの先端部をテープ供給部材側に露出することができ、テープ供給部材への粘着テープの先端部の供給を容易にすることができる。
【発明の効果】
【００３３】
前記のように構成されるこの発明に係る簡易結束機によれば、被結束物を移動させずに、片手でレバーを握り込むことによって被結束物の結束動作と結束した粘着テープの切断動作を連続して行い、被結束物を容易に排出することができる。
【図面の簡単な説明】
【００３４】
【図１】本発明に係る簡易結束機の一例を示す斜視図である。
【図２】前記簡易結束機の分解斜視図である。
【図３】前記簡易結束機の断面図である。
【図４】前記簡易結束機の作動部を示す断面図である。
【図５】前記簡易結束機の不使用時の状態を示す右側面図である。
【図６】前記簡易結束機の不使用時の状態を示す左側面図である。
【図７】この発明におけるテープケースを示す斜視図（ａ）、一部断面で示す斜視図（ｂ）及び結束機へのセット時の状態を示す斜視図（ｃ）である。
【図７Ａ】前記テープケースをテープ保持部にセットする前の状態を示す概略側面図である。
【図７Ｂ】前記テープケースをテープ保持部にセットした状態を示す概略側面図である。
【図８】この発明におけるテープ供給部材の回動機構を示す概略平面図（ａ）及びその要部を示す概略側面図（ｂ）である。
【図９】この発明におけるテープ供給部材の逆転防止機構を示す斜視図（ａ）及びその要部を示す概略側面図（ｂ）である。
【図１０】被結束物の結束前の状態を示す断面図である。
【図１１】被結束物の結束前の状態を示す要部斜視図である。
【図１２】被結束物の結束状態を示す断面図である。
【図１３】被結束物を結束したテープの切断状態を示す断面図である。
【図１４】被結束物の取り出し状態を示す断面図である。
【図１５】この発明における切断刃の動作を示す概略側面図である。
【図１６】本発明に係る簡易結束機の別の実施形態を示す斜視図である。
【図１７】前記簡易結束機の使用形態の要部を示す斜視図である。
【発明を実施するための形態】
【００３５】
以下、この発明に係る簡易結束機（以下に結束機という）について、添付図面を参照して詳細に説明する。
【００３６】
この発明に係る結束機は、図１ないし図６に示すように、基端側が枢支ピン１ａによって枢着されて先端側が開閉可能な上部本体１０及び下部本体２０と、下部本体２０に枢支ピン１ｂによって一端が枢着されて基端側に延在する揺動可能な操作レバー３０と、先端部に被結束物の保持部４１を有して下部本体２０の基端側から先端側に被結束物を移動可能な押出し部材４０と、上部本体１０と操作レバー３０と押出し部材４０に連接されて操作レバー３０の揺動に伴って押出し部材４０を移動する移動機構５０と、を具備する。
【００３７】
この場合、上部本体１０は、下方が開口する基端側直状部１０ａと、基端側直状部１０ａの先端部に連なる下方が開口する先端側直状部１０ｂとで構成されている。この場合、基端側直状部１０ａは環状の上部指掛け部１１を立設した平坦状上面１０ｃを有し、先端側直状部１０ｂは、平坦状上面１０ｄの基端側に基端側直状部１０ａの平坦状上面１０ｃに連なる第１の傾斜面１０ｅを有し、平坦状上面１０ｄの先端側に先端に向かって下り勾配の第２の傾斜面１０ｆを有している。
【００３８】
下部本体２０は、板状の基端側直状基部２０ａと、この基端側直状基部２０ａの先端部の下部から先端側に延在する上方及び下方の一部が開口する先端側直状部２０ｂと、を有する左右一対の下部半体２０ｃにて構成されている。この場合、先端側直状部２０ｂの上方開口が押出し部材４０の移動路２１を形成している。また、両下部半体２０ｃの基端側直状基部２０ａの対向する側面部には、基端側直状基部２０ａの長手方向に沿う溝が形成されており、この溝によって押出し部材４０を基端側から先端側に移動可能に支持する直状ガイド部２２が形成されている。なお、下部本体２０の先端側直状部２０ｂの基端側に枢支ピン１ｂによって一端が枢着される操作レバー３０の下面には、先端側に向かって凹状円弧状の下部指掛け部３１が設けられている。
【００３９】
なお、先端側直状部２０ｂの両側壁２０ｄの外側面には、被結束物Ａを押出し部材４０の保持部４１にセットする載置部１００が設けられている。この載置部１００は、側壁２０ｄとの間に隙間をおいて取り付けられる矩形状の支持板１０１と、支持板１０１の中間部に起立する起立片１０２の上端から外方に直交状に屈曲する中空矩形状の載置台１０３とで構成されている。
【００４０】
また、下部本体２０は、リールＲに片面が粘着面の粘着テープＴを巻装したテープケース６０を保持するテープ保持部２３と、周方向に所定間隔の被結束物が収容可能な凹所２４ａを有して押出し部材４０の移動路２１に臨設されてテープケース６０から繰り出された粘着テープＴを供給する回転自在なテープ供給部材２４と、テープ供給部材２４の逆転防止機構２５と、テープ供給部材２４の移動路先端側に弾接して粘着テープＴの先端部Ｔａをテープ供給部材２４に押圧するテープ先端押え部材２６と、上部本体１０と下部本体２０の先端側が閉じた際に、テープ供給部材２４に粘着テープＴを押圧するテープ上部押え部材２７と、テープ先端押え部材２６とテープ供給部材２４との間に位置して移動路２１に向かって出没可能に突出する切断刃２８と、を具備している。
【００４１】
この場合、テープ保持部２３は、下部本体２０の先端側直状部２０ｂの基端側下部に設けられており、先端側直状部２０ｂの基端側下部に垂下される一対の保持脚２３ａと、この保持脚２３ａに設けられる下方が開口する保持溝２３ｂと、先端側直状部２０ｂの側壁２０ｄに設けられた窓孔２３ｃ内に摺動可能に嵌挿されて、保持溝２３ｂに保持されたテープケース６０を着脱可能に係止する保持部材２３ｄを具備する。
【００４２】
テープケース６０は、図７に示すように、粘着テープＴを巻装するリールＲを回転自在に収容するテープ収容部６１と、テープ収容部６１の一側に連なり外部に開口するテープ取り出し部６２とを有するケース本体６３と、テープ取り出し部６２に回転自在に枢支されてリールＲから繰り出された粘着テープＴの先端部を開口側へ誘導する２個のガイドローラ６４ａ，６４ｂと、ガイドローラ６４ａ，６４ｂを介在してテープ収容部６１とテープ取り出し部６２を塞ぐ蓋体６５と、テープ取り出し部６２の外側面に、粘着テープＴの繰り出し方向に摺動自在に装着され、先端部に粘着テープＴの取り出し口６６ａを有するテープガイド部材６６と、を具備している。
【００４３】
また、蓋体６５の外側面には、前記テープ保持部２３を構成する一対の保持脚２３ａに設けられる下方が開口する保持溝２３ｂ内に摺動自在に嵌挿される一対の突部である装着用リブ６７と、両保持脚２３ａの上端連結部２３ｅの下面に当接可能な水平係止リブ６８と、保持溝２３ｂに保持されたテープケース６０を着脱可能に係止する保持部材２３ｄと係脱可能に係合する係止突起６９が突設されている。
【００４４】
テープケース６０をテープ保持部２３に保持する場合は、図７Ａ及び図７Ｂに示すように、テープ保持部２３の保持溝２３ｂにテープケース６０の外側面に設けられた装着用リブ６７を合わせて、装着用リブ６７を保持溝２３ｂ内に嵌挿し、水平係止リブ６８を両保持脚２３ａの上端連結部２３ｅの下面に当接する。この状態で、保持部材２３ｄを保持溝側に移動させて係止突起６９の下面に係止させることで、テープケース６０をテープ保持部２３に保持することができる。
【００４５】
また、テープケース６０をテープ保持部２３から取り外す場合は、保持部材２３ｄを保持溝側から離れる方向に移動して係止突起６９の係止状態を解いた後、テープケース６０を下方に引き出してテープケース６０をテープ保持部２３から取り外すことができる。
【００４６】
テープ供給部材２４は、下部本体２０の先端側直状部２０ｂの側壁２０ｄに横設される回転軸２４ｂに回転自在に装着されており、周方向に所定間隔をおいて設けられる凹所２４ａは、それぞれ先端部が先端側への回転（正転）方向と反対方向に向かって屈曲する羽根２４ｃによって拡開開口状に形成されている（図８，図９参照）。なお、羽根２４ｃの先端部には粘着テープＴを案内する凹溝２４ｄが形成されている。
【００４７】
前記テープ供給部材２４の逆転防止機構２５は、図９に示すように、テープ供給部材２４の回転軸２４ｂに装着されるテープ供給部材２４の回転方向と逆方向に突出する爪部２５ａを有する爪車２５ｂと、爪車２５ｂの爪部２５ａに弾性力の付勢により係脱可能に係合する係止部材２５ｃとで構成されている。この場合、係止部材２５ｃは、下部本体２０の先端側直状部２０ｂの側壁２０ｄに枢支ピン２５ｄによって一端が枢着され、他端部に爪車２５ｂの爪部２５ａに係脱可能に係合する係止部２５ｅが設けられている。また、枢支ピン２５ｄには一端が該枢支ピン２５ｄに係止し、他端が下部本体側に係止する捩りコイルばね２５ｆが巻装されており、捩りコイルばね２５ｆの弾性力の付勢によって係止部材２５ｃの係止部２５ｅが常時爪車２５ｂに弾接するようになっている。
【００４８】
また、下部本体２０におけるテープ供給部材２４の下方側には、上下方向に揺動可能なベルクランク状の作動リンク７０が枢支ピン７１ａによって枢着されており、該作動リンク７０の先端側に位置する第１の腕部７０ａの端部に、テープ先端押え部材２６が取り付けられている。この場合、テープ先端押え部材２６は円弧状に形成されており、作動リンク７０の上下方向の揺動に伴ってテープ供給部材２４に対して接離方向に起倒可能に形成されている。
【００４９】
なおここで、上下方向とは、下部本体２０の垂直方向に上部本体１０を位置した場合の方向の他に、上部本体１０と下部本体２０が垂直方向でない場合の上部本体１０に対する方向を含むものである。以後に記載の上下方向においても同様である。
【００５０】
作動リンク７０の基端側に位置する第２の腕部７０ｂの中間部に設けられたばね係止部７２ａと、このばね係止部７２ａと対向する下部本体２０の先端側直状部２０ｂにおける作動リンク７０の揺動中心より先端側に設けられたばね係止部７２ｂとに引っ張りばね７３の端部が係止された状態で介設されており、引っ張りばね７３の弾性力の付勢によって作動リンク７０の第１の腕部７０ａが常時上方に揺動（回動）し、第１の腕部７０ａに取り付けられたテープ先端押え部材２６がテープ供給部材２４の移動路先端側に弾接されるようになっている。
【００５１】
また、図４に示すように、作動リンク７０の第２の腕部７０ｂの先端部は、下部本体２０の基端側に枢支ピン７５ａによって枢着される上下方向に揺動可能なベルクランク状の駆動リンク７４の一端部すなわち先端側に位置する第１の腕部７４ａの先端部と枢支ピン７５ｂによって摺動可能に枢着されている。この場合、駆動リンク７４の第１の腕部７４ａの先端部には、枢支ピン７５ｂに対して摺動可能な長孔７６が設けられている。また、駆動リンク７４の基端側の第２の腕部７４ｂの端部は上方に向かって屈曲されており、上部本体１０の下面に垂設された係合突起７７と係合可能に形成されている。
【００５２】
テープ上部押え部材２７は、先端側が下方に向かって円弧状に屈曲された円弧状押え部２７ａを有し、基端側端部が下部本体２０の基端側直状部２０ａの先端側上部に立設されたブラケット部２７ｂに枢支ピン２７ｃによって枢着されている。また、テープ上部押え部材２７の基端側の下部に設けられたばね係止部２７ｄと下部本体２０の先端側直状部２０ｂの上部との間に引っ張りばね２７ｅが介設されており、この引っ張りばね２７ｅの弾性力の付勢によってテープ上部押え部材２７の先端側が常時下方に回動するようになっている。また、テープ上部押え部材２７の中間部は、上部本体１０の先端側直状部１０ｂに一端が枢支ピン２７ｆによって摺動及び揺動可能に枢着されたガイドリンク２７ｇの先端部と枢支ピン２７ｈによって枢着されている。この場合、ガイドリンク２７ｇの一端部には、枢支ピン２７ｆに対して摺動可能な長孔２７ｉが設けられている。
【００５３】
前記切断刃２８は三角状の刃先を有しており、下部本体２０の先端側に枢支ピン２９ａによって一端が枢着された揺動アーム２９ｂの他端部に取り付けられた保持部２９ｃによって保持されている。また、保持部２９ｃの一側方にはガイドピン２９ｄが突設されている。この場合、揺動アーム２９ｂを枢着する枢支ピン２９ａには、一端が枢支ピン２９ａに係止され、他端が下部本体２０側に係止される捩りコイルばね２９ｅが巻装されており、この捩りコイルばね２９ｅの弾性力の付勢によって揺動アーム２９ｂが常時下方側に回動するようになっている。これにより、切断刃２８は移動路２１から退避した位置に待機する。
【００５４】
また、ガイドピン２９ｄは、図１５に示すように、下部本体２０の先端側直状部２０ｂの側壁に設けられた円弧状ガイド溝２０ｅに摺動自在に嵌挿され、かつ、押出し部材４０と一体の側板４２に設けられた基端側に向かって上り勾配の傾斜面４３ｂと該傾斜面４３ｂの上端に連なる水平面４３ｃとを有するガイド溝４３に係合可能に形成されている。なお、ガイド溝４３は傾斜面４３ｂの先端側に誘導水平面４３ａを有している。
【００５５】
このように構成することにより、押出し部材４０が先端側に移動すると、まずガイドピン２９ｄが捩りコイルばね２９ｅの弾性力の付勢によって誘導水平面４３ａに接触（弾接）する。更に押出し部材４０が移動するとガイドピン２９ｄが傾斜面４３ｂに弾接して上昇し、傾斜面４３ｂの上端に連なる水平面４３ｃに弾接して上昇が停止する。このガイドピン２９ｄの移動に追従して揺動アーム２９ｂの先端部に設けられた保持部２９ｃに取り付けられた切断刃２８が上方に回動して、移動路２１に突出する。
【００５６】
前記上部本体１０は、テープ供給部材２４によって供給された粘着テープＴに、押出し部材４０によって移動する被結束物を弾性力の付勢によって圧接すると共にテープ供給部材２４の凹所２４ａ内に収容するテープ保持部材８０を具備している。また、上部本体１０の先端部に、被結束物を結束した粘着テープＴの上面に接触する回転自在なテープガイド９０が設けられている。
【００５７】
テープ保持部材８０は、図３に示すように、先端側が下方に向かって円弧状に屈曲された円弧状保持部８０ａと、円弧状保持部８０ａの先端部に垂設されるテープ押え部８０ｂとを有し、基端側端部が上部本体１０の先端側直状部１０ｂの基端側下部に垂下されたブラケット部８１に枢支ピン８２によって枢着されている。また、テープ保持部材８０の先端側の上部に設けられたばね受け凹所８３と上部本体１０の先端側直状部１０ｂの上部下面との間に圧縮ばね８４が介設されており、この圧縮ばね８４の弾性力の付勢によってテープ保持部材８０の先端側が常時下方に回動するようになっている。また、テープ保持部材８０の先端部には係止突起８５が突設されており、この係止突起８５がテープ保持部材８０より先端側に設けられるテープガイド９０の回転筒９１に係止可能に形成されている。
【００５８】
このように構成されるテープ保持部材８０は、図１，図３，図４及び図１０に示すように、上部本体１０と下部本体２０を開放した状態では、圧縮ばね８４の弾発力の付勢によって係止突起８５がテープガイド９０の回転筒９１に係止された状態に維持されている。そして、図５，図６，図１２ないし図１４に示すように、上部本体１０と下部本体２０を閉じた状態では、テープ押え部８０ｂが押出し部材４０によって移動する被結束物Ａと粘着テープＴを圧縮ばね８４の弾性力の付勢によって圧接すると共にテープ供給部材２４の凹所２４ａ内にそれらを収容する。
【００５９】
テープガイド９０は、図２及び図４に示すように、上部本体１０の先端側直状部１０ｂの先端側側壁に横設される回転軸９２に回転自在に嵌装される回転筒９１と、この回転筒９１の軸方向の両端に装着される一対の羽根車９３とを具備している。この場合、回転筒９１の長さは粘着テープＴの幅より若干長く形成されており、羽根車９３を形成する複数（図面では３個の場合を示す）の放射状突起９４の間隔が被結束物Ａの断面幅より大きく被結束物Ａを結束して粘着テープＴの上面が回転筒９１に接触可能に形成されている。
【００６０】
前記押出し部材４０は、図２に示すように、互いに平行な一対の直状基部４０ａと、各直状基部４０ａの先端部に設けられて被結束物Ａを保持する略円弧状の保持部４１と、各直状基部４０ａの先端側の側方に垂設される側板４２とを具備している。直状基部４０ａの基端側端部には、直状ガイド部２２を形成する溝に摺動自在に嵌挿される軸ピン４４を回転自在に嵌挿する透孔４５が設けられている。また、保持部４１の被結束物Ａを保持する表面には、例えば合成ゴム製の滑り止め部材４６が貼着されている。このように、保持部４１の表面に滑り止め部材４６を貼着することにより、被結束物Ａの回転を抑制して粘着テープＴの卷回を確実にすることができる。特に、粘着テープＴが自背面剥離の重いテープを使用した場合においても被結束物Ａの回転を抑制して被結束物Ａにテープを卷回することができる。
【００６１】
また、押出し部材４０の一方の直状基部４０ａに垂設される側板４２には、前述した誘導水平面４３ａと、基端側に向かって上り勾配の傾斜面４３ｂと、該傾斜面４３ｂの上端に連なる水平面４３ｃとを有するガイド溝４３が設けられている。
【００６２】
一方、押出し部材４０の他方の直状基部４０ａに垂設される側板４２には、押出し部材４０の移動方向に延在するラック９５が設けられている。このラック９５は下部本体２０の先端側直状部２０ｂの側壁２０ｄに設けられた回転軸９６に回転自在に装着された駆動ギア９７と噛合されている。図８に示すように、駆動ギア９７を装着した回転軸９６には伝達ギア９８が装着されており、この伝達ギア９８とテープ供給部材２４の回転軸２４ｂに装着された従動ギア９９とが噛合している。この場合、駆動ギア９７と伝達ギア９８と従動ギア９９の直径は、駆動ギア９７＞従動ギア９９＞伝達ギア９８の関係になっている。この場合、ラック９５と駆動ギア９７の噛合のタイミングは、押出し部材４０によって被結束物Ａがテープ供給部材２４の凹所２４ａに位置したときに行われるように設定されている。
【００６３】
このように構成することにより、押出し部材４０が先端側に移動してラック９５が駆動ギア９７に噛合すると、駆動ギア９７は図８（ｂ）において反時計方向に回転し、駆動ギア９７の回転に伴って伝達ギア９８も反時計方向に回転する。すると、伝達ギア９８に噛合する従動ギア９９が時計方向に回転すると共に、テープ供給部材２４が時計方向に回転する。テープ供給部材２４が時計方向に回転することにより、押出し部材４０によって移動される被結束物（図示せず）がテープ供給部材２４の凹所２４ａ内に確実に収容される。
【００６４】
次に、移動機構５０について説明する。移動機構５０は、上部本体１０の基端部に一端が枢支ピン５１ａによって枢着された第１のリンク５１と、操作レバー３０の自由端部に一端が枢支ピン５２ａによって枢着された第２のリンク５２と、下部本体２０に設けられた直状ガイド部２２を構成する溝に摺動自在な軸ピン４４によって一端が枢着された第３のリンク５３と、を具備し、第１のリンク５１の他端側中間部と第２のリンク５２の他端部を第１の枢支ピン５４ａによって枢着し、第１のリンク５１の先端部と第３のリンク５３の先端部を第２の枢支ピン５４ｂによって枢着してなる。なお、第１のリンク５１を枢着する枢支ピン５１ａには一端が枢支ピン５１ａに係止され他端が下部本体２０の基端側直状部２０ａに係止される捩りコイルばね５５が巻装されており、この捩りコイルばね５５の弾性力の付勢により第１のリンク５１の先端側（自由端側）が下部本体２０の基端側直状部２０ａから離れる方向に維持されている。
【００６５】
このように構成することにより、上部本体１０と下部本体２０の先端側を開いた状態で、上部本体１０の基端側直状部１０ａと操作レバー３０を握って操作レバー３０を上部本体１０の基端側直状部１０ａに近接させることによって移動機構５０が作動して押出し部材４０を先端側へ移動することができる。また、操作レバー３０の握りによる移動を解除すると、枢支ピン５１ａに巻装された捩りコイルばね５５の弾性力の付勢により押出し部材４０は基端側へ復帰する。
【００６６】
次に、前記のように構成される簡易結束機を用いて被結束物を結束する動作について、図１０ないし図１５を参照して説明する。
【００６７】
まず、予めテープケース６０をテープ保持部２３にセットする。テープケース６０をセットするには、図７Ａ及び図７Ｂに示すように、テープ保持部２３の保持溝２３ｂにテープケース６０の外側面に設けられた装着用リブ６７を合わせて、装着用リブ６７を保持溝２３ｂ内に嵌挿し、水平係止リブ６８を両保持脚２３ａの上端連結部２３ｅの下面に当接する。この状態で、保持部材２３ｄを保持溝側に移動させて係止突起６９の下面に係止させることで、テープケース６０をテープ保持部２３に保持する。その後、テープガイド部材６６を下方に摺動させて、粘着テープＴの先端部を露出させる。
【００６８】
次に、図５及び図６に示す閉じた状態から上部本体１０を開放して粘着テープＴをセットすると共に、被結束物Ａをセットする。この場合、上部本体１０の開放動作に伴って係合突起７７が駆動リンク７４との係合を解き、駆動リンク７４に枢着された作動リンク７０が引っ張りコイルばね７３の弾性力の付勢によって回動する。作動リンク７０の回動によって作動リンク７０に取り付けられたテープ先端押え部材２６がテープ供給部材２４の先端側部に弾接するので、引っ張りコイルばね７３の弾性力に抗してテープ先端押え部材２６をテープ供給部材２４から離して、テープケース６０から露出するテープ先端部Ｔａをテープ供給部材２４に掛け渡した後、引っ張りコイルばね７３の弾性力の付勢によってテープ先端押え部材２６をテープ供給部材２４に弾接して粘着面を上面にした粘着テープＴの先端部Ｔａを挟持する（図１０及び図１１参照）。この状態で、押出し部材４０の保持部４１に被結束物Ａを保持する。
【００６９】
次に、上部指掛け部１１に親指を掛け、下部指掛け部３１に人差し指又は中指を掛けて上部本体１０の基端側直状部１０ａと操作レバー３０を握り込むと、上部本体１０が閉じてテープ上部押え部材２７の円弧状押え部２７ａがテープ供給部材２４に掛け渡されている粘着テープＴの上面を押えると同時に、押出し部材４０が先端側に移動して、保持部４１に保持された被結束物Ａを粘着テープＴと共にテープ供給部材２４の凹所２４ａ内に収容して結束前の被結束物Ａに粘着テープＴを押し付ける（図１２参照）。このとき、上部本体１０の先端側直状部１０ｂに取り付けられているテープ保持部材８０の円弧状保持部８０ａが圧縮ばね８４の弾性力の付勢によりテープ供給部材２４に弾接される。
【００７０】
更に、操作レバー３０を握り込むと、押出し部材４０が先端側に移動して被結束物Ａが移動することによって粘着テープＴが供給される。押出し部材４０がある時点に達すると、図８に示すように、押出し部材４０の側板４２に設けられたラック９５が下部本体２０の先端側直状部２０ｂの側壁２０ｄに設けられた回転軸９６に装着された駆動ギア９７に噛合して駆動ギア９７を回動（回転）し、駆動ギア９７と同軸上に装着された伝達ギア９８を介してテープ供給部材２４の回転軸２４ｂに装着された従動ギア９９を回動（回転）すると共にテープ供給部材２４を先端側に回動（回転）して、被結束物Ａを確実に先端側に移動する。このとき、被結束物Ａに粘着テープＴが付いた状態で被結束物Ａが先端側へ移動するので、これに伴ってテープ供給部材２４が回転して粘着テープＴが供給される。
【００７１】
一方、押出し部材４０の移動に伴って切断刃２８を保持する揺動アーム２９ｂに突設されたガイドピン２９ｄが、図１５に示すように、押出し部材４０の側板４２に設けられたガイド溝４３の誘導水平面４３ａ、傾斜面４３ｂ、水平面４３ｃの順に接触しつつ側壁２０ｄに設けられた円弧状ガイド溝２０ｅに沿って上昇する。これにより揺動アーム２９ｂの自由端部に取り付けられた切断刃２８の先端が移動路２１内に突出して、被結束物Ａを結束した粘着テープＴの先端部Ｔａと該先端部Ｔａに接着する部分を切断する（図１３参照）。
【００７２】
更に、押出し部材４０を先端側に移動して結束された被結束物Ａを外部に排出して結束作業を完了する。
【００７３】
被結束物Ａの結束が完了した後、操作レバー３０の握りを解除すると、移動機構５０の第１のリンク５１の枢支ピン５１ａに巻装された捩りコイルばね５５の弾性力の付勢によって押出し部材４０が基端側に移動し、これに伴って揺動アーム２９ｂに突設されたガイドピン２９ｄが水平面４３ｃ、傾斜面４３ｂ、誘導水平面４３ａの順に接触しつつ円弧状ガイド溝２０ｅに沿って下降し、切断刃２８が移動路２１から後退する（図１４参照）。
【００７４】
図１６及び図１７は、この発明に係る結束機の第２実施形態を示す斜視図である。第２実施形態は、例えば複数の被結束物Ａの先端を揃えると共に、結束を先端から所定の位置で行えるようにした場合である。
【００７５】
すなわち、第２実施形態の結束機は、下部本体２０における移動路２１の基端側に、移動路２１に対して直交状に着脱可能に突設される被結束物Ａの載置板２００と、被結束物Ａの端部が当接可能な当接壁部２０１を有する位置決め部材２０２とを具備し、載置板２００は長手方向に所定間隔をおいて互いに平行な目盛り２０３が刻設され、位置決め部材２０２は載置板２００に摺動可能に装着されると共に、目盛り２０３に合わせて係止可能に形成されている。
【００７６】
この場合、載置板２００の端部は、下部本体２０の側壁２０ｄに設けられた載置部１００に形成された中空矩形状の載置台１０３に形成された矩形穴１０４内に着脱可能に嵌挿されている。これにより、載置板２００を着脱可能に取り付けることができる。また、位置決め部材２０２は、載置板２００に摺動自在に嵌装される矩形筒状の基部２０４の摺動方向の一端に当接壁部２０１を立設した略Ｌ字状に形成されている。なお、矩形筒状の基部２０４の内面すなわち載置板２００との摺動面に、目盛り２０３に弾性力の付勢によって係合するばね部材（図示せず）が設けられている。
【００７７】
なお、第２実施形態において、その他の部分は前述の第１実施形態と同じであるので、同一部分には同一符号を付して説明は省略する。
【００７８】
前記のように構成される第２実施形態の結束機によれば、必要に応じて当接壁部２０１を有する位置決め部材２０２を摺動可能に装着した載置板２００を取り付けることで、複数の被結束物Ａの先端を揃えることができると共に、先端からの所定の距離を結束することができる。
【００７９】
この発明の簡易結束機によれば、被結束物Ａを移動させずに、片手で操作レバー３０を握り込むことによって、被結束物Ａの結束動作と結束した粘着テープＴの切断動作と結束された被結束物Ａの排出動作を連続して行うことができる。したがって、例えばプラスチック製袋体の袋口や複数の棒状製品等の被結束物の粘着テープによる結束以外に、例えば電気・電子機器の配線の方向を明確にするために、配線コードの両端に異なる色のテープを巻き付ける場合においても、配線コードを装置から取り外すことなく簡便に結束することができる。なお、異なる種類のマーキング用粘着テープで結束（マーキング）を行う場合は、異なる種類の粘着テープを収容したテープケース６０を交換して使用するか、あるいは、異なる種類の粘着テープを収容したテープケース６０をテープ保持部２３に保持した複数の結束機を用意して選択して使用する。
【００８０】
また、この発明の簡易結束機によれば、例えばぶどうの蔓等と支柱を結束する場合においても、結束後に結束機を引き抜く必要がないので、園芸用の結束機として使用することができる。
【符号の説明】
【００８１】
１０  上部本体
１１  上部指掛け部
２０  下部本体
２１  移動路
２２  直状ガイド部
２３  テープ保持部
２３ａ  保持脚
２３ｂ  保持溝
２３ｄ  保持部材
２４  テープ供給部材
２４ａ  凹所
２４ｂ  回転軸
２５  逆転防止機構
２５ａ  爪部
２５ｂ  爪車
２５ｃ  係止部材
２５ｄ  枢支ピン
２５ｆ  捩りコイルばね
２６  テープ先端押え部材
２７  テープ上部押え部材
２８  切断刃
２９ａ  枢支ピン
２９ｂ  揺動アーム
２９ｄ  ガイドピン
２９ｅ  捩りコイルばね
３０  操作レバー
３１  下部指掛け部
４０  押出し部材
４１  保持部
４２  側板
４３  ガイド溝
４３ｂ  傾斜面
４３ｃ  水平面
４４  軸ピン
４６  滑り止め部材
５０  移動機構
５１  第１のリンク
５２  第２のリンク
５３  第３のリンク
５４ａ  第１の枢支ピン
５４ｂ  第２の枢支ピン
６０  テープケース
６１  テープ収容部
６２  テープ取り出し部
６３  ケース本体
６４ａ，６４ｂ  ガイドローラ
６５  蓋体
６６  テープガイド部材
６７  装着用リブ
６９  係止突起
７０  作動リンク
７３  引っ張りばね
７４  駆動リンク
７７  係合突起
８０  テープ保持部材
８４  圧縮ばね
９０  テープガイド
９５  ラック
９６  回転軸
９７  駆動ギア
９８  伝達ギア
９９  従動ギア
２００  載置板
２０１  当接壁
２０２  位置決め部材
２０３  目盛り
【図１】
2014231380.tif 000003
【図２】
2014231380.tif 000004
【図３】
2014231380.tif 000005
【図４】
2014231380.tif 000006
【図５】
2014231380.tif 000007
【図６】
2014231380.tif 000008
【図７】
2014231380.tif 000009
【図７Ａ】
2014231380.tif 000010
【図７Ｂ】
2014231380.tif 000011
【図８】
2014231380.tif 000012
【図９】
2014231380.tif 000013
【図１０】
2014231380.tif 000014
【図１１】
2014231380.tif 000015
【図１２】
2014231380.tif 000016
【図１３】
2014231380.tif 000017
【図１４】
2014231380.tif 000018
【図１５】
2014231380.tif 000019
【図１６】
2014231380.tif 000020
【図１７】
2014231380.tif 000021